(57)【要約】【課題】所謂冷暖フリーのマルチタイプの冷凍装置において、室内熱交換器の動作の切り換えの円滑化を図る。【解決手段】冷凍装置（1）は、圧縮機構（2）と、高圧ガス配管（H0）及び低圧ガス配管（L0）と、液配管（10）と、室外熱交換器（4）と、膨張機構（32,42,52,62,11c,11d）と、複数の室内熱交換器（31,41,51,61）とを有する冷媒回路（1G）を備えている。室内熱交換器（31,41,51,61）のガス側端は四路切換弁（33,43,53,63）によって高圧ガス配管（H0）と低圧ガス配管（L0）とに切換可能に接続されている。冷凍装置（1）は、四路切換弁（33,43,53,63）が室内熱交換器（31,41,51,61）のガス側端と低圧ガス配管（L0）とを接続している状態において、四路切換弁（33,43,53,63）の高圧ガス側を低圧ガス配管（L0）に連通させる連通路（81）を備えている。【選択図】図１
2009264612.tif 000002
【特許請求の範囲】
【請求項１】
圧縮機構（2）と、該圧縮機構（2）の吐出側及び吸入側に接続された高圧ガス配管（H0）及び低圧ガス配管（L0）と、液配管（10）と、熱源側熱交換器（4）と、膨張機構（32,42,52,62,11c,11d）と、複数の利用側熱交換器（31,41,51,61）とを有する冷媒回路（1G）を備え、
前記熱源側熱交換器（4）の液側端は前記液配管（10）に接続される一方、前記熱源側熱交換器（4）のガス側端は前記圧縮機構（2）の吐出側と吸入側とに切換可能に接続され、
前記利用側熱交換器（31,41,51,61）の液側端は前記液配管（10）に接続される一方、前記利用側熱交換器（31,41,51,61）のガス側端は切換弁（33,43,53,63）によって前記高圧ガス配管（H0）と前記低圧ガス配管（L0）とに切換可能に接続された冷凍装置であって、
前記切換弁（33,43,53,63）が前記利用側熱交換器（31,41,51,61）のガス側端と前記低圧ガス配管（L0）とを接続している状態において、前記切換弁（33,43,53,63）の高圧ガス側を前記低圧ガス配管（L0）に連通させる連通手段（80）を備えている
ことを特徴とする冷凍装置。
【請求項２】
請求項１において、
前記切換弁（33,43,53,63）には、前記利用側熱交換器（31,41,51,61）のガス側端と、前記高圧ガス配管（H0）の主管（H1）から前記利用側熱交換器（31,41,51,61）に向けて分岐された高圧分岐管（H3,H4,H5,H6）と、前記低圧ガス配管（L0）の主管（L1）から前記利用側熱交換器（31,41,51,61）に向けて分岐された低圧分岐管（L3,L4,L5,L6）とが接続され、
前記連通手段（80）は、前記高圧分岐管（H3,H4,H5,H6）と前記低圧ガス配管（L0）とを連通する連通路（81）と、該連通路（81）に設けられた減圧弁（82）とを備えている
ことを特徴とする冷凍装置。
【請求項３】
請求項２において、
前記減圧弁（82）は開度が可変に構成される一方、
前記連通手段（80）は、前記切換弁（33,43,53,63）内の液冷媒の溜まり込みを検知する液検知手段（90）と、前記液検知手段（90）が前記切換弁（33,43,53,63）内の液冷媒の溜まり込みを検知すると、前記減圧弁（82）の開度を増大させる開度増大手段（91）とを備えている
ことを特徴とする冷凍装置。
【請求項４】
請求項３において、
前記連通手段（80）は、前記連通路（81）内の冷媒の温度を検知する温度センサ（83）と、前記冷媒回路（1G）の高圧冷媒圧力を検知する高圧圧力センサ（84）とを備え、
前記液検知手段（90）は、前記高圧圧力センサ（84）の検出値に基づく高圧圧力相当飽和温度から前記温度センサ（83）の検出値を減じた値が所定の上限値よりも大きい状態が所定時間続くと、前記切換弁（33,43,53,63）内の液冷媒の溜まり込みを検知する
ことを特徴とする冷凍装置。
【請求項５】
請求項３において、
前記連通手段（80）は、前記切換弁（33,43,53,63）内の液冷媒の排出を検知する排出検知手段（92）と、前記排出検知手段（92）が前記切換弁（33,43,53,63）内の液冷媒の排出を検知すると前記減圧弁（82）を全閉とする閉制御手段（93）とを備えている
ことを特徴とする冷凍装置。
【請求項６】
請求項５において、
前記連通手段（80）は、前記連通路（81）内の冷媒の温度を検知する温度センサ（83）と、前記冷媒回路（1G）の高圧冷媒圧力を検知する高圧圧力センサ（84）とを備え、
前記排出検知手段（92）は、前記高圧圧力センサ（84）の検出値に基づく高圧圧力相当飽和温度から前記温度センサ（83）の検出値を減じた値が所定の下限値を下回ると、前記切換弁（33,43,53,63）内の液冷媒の排出を検知する
ことを特徴とする冷凍装置。
【請求項７】
請求項５において、
前記排出検知手段（92）は、前記減圧弁（82）の開度を検知する開度検出部（92a）を備え、該開度検出部（92a）が前記減圧弁（82）の全開状態を検出すると、前記切換弁（33,43,53,63）内の液冷媒の排出を検知する
ことを特徴とする冷凍装置。
【請求項８】
請求項１において、
前記連通手段（80）は、一端が前記切換弁（33,43,53,63）に接続される一方、他端が前記低圧ガス配管（L0）に接続されたキャピラリー通路（71）を備え、
前記切換弁（33,43,53,63）は、
前記高圧ガス配管（H0）の主管（H1）から前記利用側熱交換器（31,41,51,61）に向けて分岐された高圧分岐管（H3,H4,H5,H6）が接続された第１ポート（33a,43a,53a,63a）と、
前記利用側熱交換器（31,41,51,61）のガス側端が接続された第２ポート（33b,43b,53b,63b）と、
前記低圧ガス配管（L0）の主管（L1）から前記利用側熱交換器（31,41,51,61）に向けて分岐された低圧分岐管（L3,L4,L5,L6）が接続された第３ポート（33c,43c,53c,63c）と、
前記キャピラリー通路（71）の一端が接続された第４ポート（33d,43d,53d,63d）とを有する四路切換弁（33,43,53,63）によって構成されている
ことを特徴とする冷凍装置。
【請求項９】
請求項１において、
前記熱源側熱交換器（4）のガス側端と前記圧縮機構（2）の吐出側とを接続する第１の状態と、前記熱源側熱交換器（4）のガス側端と前記圧縮機構（2）の吸入側とを接続する第２の状態とに切換可能な切換手段（3A）と、
前記冷媒回路（1G）の冷凍サイクルの動作を制御する制御手段（70）とを備え、
前記制御手段（70）は、前記冷媒回路（1G）において、前記複数の利用側熱交換器（31,41,51,61）の少なくとも１つが蒸発器として作動し、他の少なくとも１つがデフロストを行い、前記熱源側熱交換器（4）が前記切換手段（3A）によって第２の状態に切り換えられているときに、前記高圧冷媒圧力が所定の上限値を超えていると、前記熱源側熱交換器（4）への送風量の低減と、前記熱源側熱交換器（4）の第２の状態から第１の状態への切換と、前記圧縮機構（2）の容量低減と、前記圧縮機構（2）の停止とについて順に制御を行うように構成されている
ことを特徴とする冷凍装置。
【請求項１０】
請求項１において、
前記熱源側熱交換器（4）のガス側端と前記圧縮機構（2）の吐出側とを接続する第１の状態と、前記熱源側熱交換器（4）のガス側端と前記圧縮機構（2）の吸入側とを接続する第２の状態とに切換可能な切換手段（3A）と、
前記冷媒回路（1G）の冷凍サイクルの動作を制御する制御手段（70）とを備え、
前記制御手段（70）は、前記冷媒回路（1G）において、前記複数の利用側熱交換器（31,41,51,61）の少なくとも１つが蒸発器として作動し、他の少なくとも１つがデフロストを行い、前記熱源側熱交換器（4）が前記切換手段（3A）によって第１の状態に切り換えられているときに、前記高圧冷媒圧力が所定の下限値を下回っていると、前記熱源側熱交換器（4）への送風量の低減と、前記熱源側熱交換器（4）の第１の状態から第２の状態への切換と、前記圧縮機構（2）の容量増大とについて順に制御を行うように構成されている
ことを特徴とする冷凍装置。
【発明の詳細な説明】
【技術分野】
【０００１】
本発明は、冷凍装置に関し、特に、複数の利用側熱交換器を有する冷凍装置の運転状態の切換対策に係るものである。
【背景技術】
【０００２】
従来より、冷凍装置には、特許文献１に開示されているように、１台の室外ユニットに対して複数の室内ユニットが接続され、それぞれの室内ユニットが独立して冷却運転や加熱運転を行う所謂冷暖フリーのマルチタイプの冷凍装置が知られている。この種の冷凍装置では、室外ユニットと複数の室内ユニットとの間には、圧縮機構の吐出側に接続された高圧ガス配管、圧縮機構の吸入側に接続された低圧ガス配管及び液配管がそれぞれ配設されている。また、室外ユニットは室外熱交換器を備える一方、室内ユニットは室内熱交換器を備えている。そして、該室内熱交換器の一端は上記液配管に接続される一方、他端は切換弁によって高圧ガス配管と低圧ガス配管とに切換可能に接続されている。上記冷凍装置では、上記切換弁を切り換えることにより、室内熱交換器と連通する配管（高圧ガス配管又は低圧ガス配管）が切り換わり、各室内ユニットにおいて個別に独立して冷却運転又は加熱運転を行うように構成されている。
【特許文献１】特開２００１−２４１７９８号公報
【発明の開示】
【発明が解決しようとする課題】
【０００３】
ところで、室内ユニットにおいて冷却運転が行われている際には、高圧ガス配管と室内熱交換器との連通が遮断されるため、該室内ユニットの切換弁内の高圧ガス配管と連通する空間では冷媒ガスが流動せずに滞留する。そして、該冷媒ガスは、時間の経過と共に温度が低下し、その温度が高圧圧力相当飽和温度より下回ると凝縮して液冷媒となる。また、冷媒に混入する冷凍機油も切換弁内において凝縮する。そのため、該室内ユニットにおいて冷却運転が長く行われると、液冷媒や冷凍機油が切換弁内に多量に溜まり込んでしまい、切換弁が切り換わり難くなるという問題があった。
【０００４】
本発明は、かかる点に鑑みてなされたものであり、その目的とするところは、所謂冷暖フリーのマルチタイプの冷凍装置において、室内熱交換器の動作の切り換えの円滑化を図ることにある。
【課題を解決するための手段】
【０００５】
本発明は、圧縮機構（2）と、該圧縮機構（2）の吐出側及び吸入側に接続された高圧ガス配管（H0）及び低圧ガス配管（L0）と、液配管（10）と、熱源側熱交換器（4）と、膨張機構（32,42,52,62,11c,11d）と、複数の利用側熱交換器（31,41,51,61）とを有する冷媒回路（1G）を備え、前記熱源側熱交換器（4）の液側端は前記液配管（10）に接続される一方、前記熱源側熱交換器（4）のガス側端は前記圧縮機構（2）の吐出側と吸入側とに切換可能に接続され、前記利用側熱交換器（31,41,51,61）の液側端は前記液配管（10）に接続される一方、前記利用側熱交換器（31,41,51,61）のガス側端は切換弁（33,43,53,63）によって前記高圧ガス配管（H0）と前記低圧ガス配管（L0）とに切換可能に接続された冷凍装置であって、前記切換弁（33,43,53,63）が前記利用側熱交換器（31,41,51,61）のガス側端と前記低圧ガス配管（L0）とを接続している状態において、前記切換弁（33,43,53,63）の高圧ガス側を前記低圧ガス配管（L0）に連通させる連通手段（80）を備えている。
【０００６】
本発明では、切換弁（33,43,53,63）が利用側熱交換器（31,41,51,61）のガス側端と低圧ガス配管（L0）とを接続している状態において、連通手段（80）によって切換弁（33,43,53,63）の高圧ガス側を前記低圧ガス配管（L0）に連通させる。これにより、切換弁（33,43,53,63）内で凝縮した液冷媒は、低圧ガス配管（L0）に排出されることとなる。よって、切換弁（33,43,53,63）の切り換えが阻害されることなく円滑に切り換わる。
【０００７】
第２の発明は、第１の発明において、前記切換弁（33,43,53,63）には、前記利用側熱交換器（31,41,51,61）のガス側端と、前記高圧ガス配管（H0）の主管（H1）から前記利用側熱交換器（31,41,51,61）に向けて分岐された高圧分岐管（H3,H4,H5,H6）と、前記低圧ガス配管（L0）の主管（L1）から前記利用側熱交換器（31,41,51,61）に向けて分岐された低圧分岐管（L3,L4,L5,L6）とが接続され、前記連通手段（80）は、前記高圧分岐管（H3,H4,H5,H6）と前記低圧ガス配管（L0）とを連通する連通路（81）と、該連通路（81）に設けられた減圧弁（82）とを備えている。
【０００８】
第２の発明では、減圧弁（82）を開くと、高圧分岐管（H3,H4,H5,H6）と低圧ガス配管（L0）とが連通する。その結果、高圧分岐管（H3,H4,H5,H6）内の冷媒が連通路（81）を介して低圧ガス配管（L0）に引き込まれると共に、切換弁（33,43,53,63）内で凝縮した液冷媒及び冷凍機油も低圧ガス配管（L0）側へ吸引され、切換弁（33,43,53,63）内から排出される。
【０００９】
第３の発明は、第２の発明において、前記減圧弁（82）は開度が可変に構成される一方、前記連通手段（80）は、前記切換弁（33,43,53,63）内の液冷媒の溜まり込みを検知する液検知手段（90）と、前記液検知手段（90）が前記切換弁（33,43,53,63）内の液冷媒の溜まり込みを検知すると、前記減圧弁（82）の開度を増大させる開度増大手段（91）とを備えている。
【００１０】
なお、ここで、「切換弁（33,43,53,63）内の液冷媒の溜まり込みを検知する」には、実際に液冷媒の溜まり込みを直接的に検知するだけでなく、所定の条件から液冷媒の溜まり込みを予測して間接的に検知することも含まれる。
【００１１】
第３の発明では、液検知手段（90）によって切換弁（33,43,53,63）内に液冷媒が溜まり込んでいることが検知されると、開度増大手段（91）によって減圧弁（82）の開度が増大される。そのため、切換弁（33,43,53,63）内に溜まった液冷媒や冷凍機油が連通路（81）を介して低圧ガス配管（L0）に向かって流れ、切換弁（33,43,53,63）内から排出される。
【００１２】
第４の発明は、第３の発明において、前記連通手段（80）は、前記連通路（81）内の冷媒の温度を検知する温度センサ（83）と、前記冷媒回路（1G）の高圧冷媒圧力を検知する高圧圧力センサ（84）とを備え、前記液検知手段（90）は、前記高圧圧力センサ（84）の検出値に基づく高圧圧力相当飽和温度から前記温度センサ（83）の検出値を減じた値が所定の上限値よりも大きい状態が所定時間続くと、前記切換弁（33,43,53,63）内の液冷媒の溜まり込みを検知する。
【００１３】
第４の発明では、高圧分岐管（H3,H4,H5,H6）に接続された連通路（81）内の冷媒の温度が高圧圧力相当飽和温度より下回ると、切換弁（33,43,53,63）及び高圧分岐管（H3,H4,H5,H6）内の冷媒も高圧圧力相当飽和温度よりも下回り、凝縮して液冷媒となると予測される。そのため、連通路（81）内の冷媒の温度及び高圧冷媒圧力に基づく高圧圧力相当飽和温度を求めることで切換弁（33,43,53,63）内への液冷媒の溜まり込みの有無を間接的に検知することができる。
【００１４】
第５の発明は、第３の発明において、前記連通手段（80）は、前記切換弁（33,43,53,63）内の液冷媒の排出を検知する排出検知手段（92）と、前記排出検知手段（92）が前記切換弁（33,43,53,63）内の液冷媒の排出を検知すると前記減圧弁（82）を全閉とする閉制御手段（93）とを備えている。
【００１５】
第５の発明では、排出検知手段（92）によって切換弁（33,43,53,63）内から液冷媒が排出されたことが検知されると、閉制御手段（93）によって減圧弁（82）が全閉状態に制御される。そのため、切換弁（33,43,53,63）内から液冷媒が排出されると、減圧弁（82）が閉じられる。
【００１６】
第６の発明は、第５の発明において、前記連通手段（80）は、前記連通路（81）内の冷媒の温度を検知する温度センサ（83）と、前記冷媒回路（1G）の高圧冷媒圧力を検知する高圧圧力センサ（84）とを備え、前記排出検知手段（92）は、前記高圧圧力センサ（84）の検出値に基づく高圧圧力相当飽和温度から前記温度センサ（83）の検出値を減じた値が所定の下限値を下回ると、前記切換弁（33,43,53,63）内の液冷媒の排出を検知する。
【００１７】
第６の発明では、切換弁（33,43,53,63）内の液冷媒が連通路（81）を介して低圧ガス配管（L0）に排出されると、切換弁（33,43,53,63）、高圧分岐管（H3,H4,H5,H6）及び連通路（81）内には高圧のガス冷媒が供給される。該ガス冷媒の温度は高圧圧力相当飽和温度を上回っているため、連通路（81）内の冷媒の温度と高圧冷媒圧力に基づく高圧圧力相当飽和温度とを求めることで切換弁（33,43,53,63）内から液冷媒が排出されたか否かを間接的に検知することができる。
【００１８】
第７の発明は、第５の発明において、前記排出検知手段（92）は、前記減圧弁（82）の開度を検知する開度検出部（92a）を備え、該開度検出部（92a）が前記減圧弁（82）の全開状態を検出すると、前記切換弁（33,43,53,63）内の液冷媒の排出を検知する。
【００１９】
第７の発明では、減圧弁（82）の開度が全開状態になると、切換弁（33,43,53,63）内に溜まり込んだ液冷媒は、速やかに瞬時に低圧ガス配管（L0）へ流れる。よって、排出検知手段（92）の開度検出部（92a）により、減圧弁（82）が全開状態であることから切換弁（33,43,53,63）内から液冷媒が排出されたことを間接的に検知することができる。
【００２０】
第８の発明は、第１の発明において、前記連通手段（80）は、一端が前記切換弁（33,43,53,63）に接続される一方、他端が前記低圧ガス配管（L0）に接続されたキャピラリー通路（71）を備え、前記切換弁（33,43,53,63）は、前記高圧ガス配管（H0）の主管（H1）から前記利用側熱交換器（31,41,51,61）に向けて分岐された高圧分岐管（H3,H4,H5,H6）が接続された第１ポート（33a,43a,53a,63a）と、前記利用側熱交換器（31,41,51,61）のガス側端が接続された第２ポート（33b,43b,53b,63b）と、前記低圧ガス配管（L0）の主管（L1）から前記利用側熱交換器（31,41,51,61）に向けて分岐された低圧分岐管（L3,L4,L5,L6）が接続された第３ポート（33c,43c,53c,63c）と、前記キャピラリー通路（71）の一端が接続された第４ポート（33d,43d,53d,63d）とを有する四路切換弁（33,43,53,63）によって構成されている。
【００２１】
第８の発明では、利用側熱交換器（31,41,51,61）のガス側端が低圧ガス配管（L0）と連通する際に、高圧分岐管（H3,H4,H5,H6）はキャピラリー通路（71）と連通する。そのため、高圧分岐管（H3,H4,H5,H6）から切換弁（33,43,53,63）内に流入した高圧の冷媒は、キャピラリー通路（71）を介して低圧ガス配管（L0）へ少しずつ導かれ、切換弁（33,43,53,63）内に滞留しない。そのため、切換弁（33,43,53,63）内で冷媒が凝縮してしまうことが抑制される。
【００２２】
第９の発明は、第１の発明において、前記熱源側熱交換器（4）のガス側端と前記圧縮機構（2）の吐出側とを接続する第１の状態と、前記熱源側熱交換器（4）のガス側端と前記圧縮機構（2）の吸入側とを接続する第２の状態とに切換可能な切換手段（3A）と、前記冷媒回路（1G）の冷凍サイクルの動作を制御する制御手段（70）とを備え、前記制御手段（70）は、前記冷媒回路（1G）において、前記複数の利用側熱交換器（31,41,51,61）の少なくとも１つが蒸発器として作動し、他の少なくとも１つがデフロストを行い、前記熱源側熱交換器（4）が前記切換手段（3A）によって第２の状態に切り換えられているときに、前記高圧冷媒圧力が所定の上限値を超えていると、前記熱源側熱交換器（4）への送風量の低減と、前記熱源側熱交換器（4）の第２の状態から第１の状態への切換と、前記圧縮機構（2）の容量低減と、前記圧縮機構（2）の停止とについて順に制御を行うように構成されている。
【００２３】
第９の発明では、制御手段（70）は、複数の利用側熱交換器（31,41,51,61）の少なくとも１つが蒸発器として作動し、他の少なくとも１つがデフロストを行い、熱源側熱交換器（4）が蒸発器として作動しているときに、冷媒回路（1G）の高圧冷媒圧力が所定の上限値を超えて上昇すると、まず、熱源側熱交換器（4）への送風量を低減して、高圧冷媒圧力が所定の上限値を下回るように制御する。それでも高圧冷媒圧力が低下しない場合には、制御手段（70）は、切換手段（3A）を切り換えて熱源側熱交換器（4）を凝縮器として作動させる。また、それでも高圧冷媒圧力が低下しない場合には、制御手段（70）は、圧縮機構（2）の容量を減少させる。さらになお、高圧冷媒圧力が低下しない場合には、制御手段（70）は、圧縮機構（2）を停止する。
【００２４】
第１０の発明は、第１の発明において、前記熱源側熱交換器（4）のガス側端と前記圧縮機構（2）の吐出側とを接続する第１の状態と、前記熱源側熱交換器（4）のガス側端と前記圧縮機構（2）の吸入側とを接続する第２の状態とに切換可能な切換手段（3A）と、前記冷媒回路（1G）の冷凍サイクルの動作を制御する制御手段（70）とを備え、前記制御手段（70）は、前記冷媒回路（1G）において、前記複数の利用側熱交換器（31,41,51,61）の少なくとも１つが蒸発器として作動し、他の少なくとも１つがデフロストを行い、前記熱源側熱交換器（4）が前記切換手段（3A）によって第１の状態に切り換えられているときに、前記高圧冷媒圧力が所定の下限値を下回っていると、前記熱源側熱交換器（4）への送風量の低減と、前記熱源側熱交換器（4）の第１の状態から第２の状態への切換と、前記圧縮機構（2）の容量増大とについて順に制御を行うように構成されている。
【００２５】
第１０の発明では、制御手段（70）は、複数の利用側熱交換器（31,41,51,61）の少なくとも１つが蒸発器として作動し、他の少なくとも１つがデフロストを行い、熱源側熱交換器（4）が凝縮器として作動しているときに、冷媒回路（1G）の高圧冷媒圧力が所定の下限値を下回ると、まず、熱源側熱交換器（4）への送風量を低減して、高圧冷媒圧力が所定の下限値よりも上昇するように制御する。それでも高圧冷媒圧力が上昇しない場合には、制御手段（70）は、切換手段（3A）を切り換えて熱源側熱交換器（4）を蒸発器として作動させる。また、それでも高圧冷媒圧力が上昇しない場合には、制御手段（70）は、圧縮機構（2）の容量を増大させる。
【発明の効果】
【００２６】
本発明によれば、連通手段（80）を備えているため、切換弁（33,43,53,63）が利用側熱交換器（31,41,51,61）のガス側端と低圧ガス配管（L0）とを接続している状態のときに、切換弁（33,43,53,63）の高圧ガス側を低圧ガス配管（L0）に連通させることができる。これにより、切換弁（33,43,53,63）内で冷媒が凝縮して液冷媒となった場合であっても、該液冷媒及び冷媒と共に凝縮した冷凍機油を低圧ガス配管（L0）に排出することができる。従って、液冷媒及び冷凍機油によって切換弁（33,43,53,63）の切り換えが阻害されることがなく、切り換えを円滑に行うことができる。
【００２７】
また、第２の発明によれば、切換弁（33,43,53,63）内で冷媒が凝縮して液冷媒となった場合であっても、減圧弁（82）を開くことにより、液冷媒及び冷媒と共に凝縮した冷凍機油を連通路（81）を介して低圧ガス配管（L0）側に容易に排出することができる。従って、切換弁（33,43,53,63）の切り換えを円滑に行うことができる。
【００２８】
また、第３の発明によれば、液検知手段（90）によって切換弁（33,43,53,63）内に液冷媒が溜まり込んでいることが検知されると、開度増大手段（91）によって減圧弁（82）の開度が増大される。そのため、切換弁（33,43,53,63）内に液冷媒が溜まり込んだときにだけ減圧弁（82）を開き、必要に応じて切換弁（33,43,53,63）の開度を増大させることにより、切換弁（33,43,53,63）内の液冷媒及び冷凍機油を適宜、迅速に排出することができる。
【００２９】
また、第４の発明によれば、高圧冷媒圧力を検知する高圧圧力センサ（84）と連通路（81）内の冷媒の温度を検知する温度センサ（83）とを設けるだけで、切換弁（33,43,53,63）内への液冷媒の溜まり込みを検知することができる。従って、複雑な検知手段を設けることなく、容易に切換弁（33,43,53,63）内への液冷媒の溜まり込みを検知することができる。
【００３０】
また、第５の発明によれば、排出検知手段（92）によって切換弁（33,43,53,63）内から液冷媒が排出されたことが検知されると、閉制御手段（93）によって減圧弁（82）が全閉状態に制御される。よって、切換弁（33,43,53,63）内に液冷媒が溜まり込んだときにだけ減圧弁（82）を開けて液冷媒を排出し、排出後には減圧弁（82）を閉じ、高圧の冷媒が無駄に低圧ガス配管（L0）に流れ込むことを抑制することができる。
【００３１】
また、第６の発明によれば、連通路（81）を流れる冷媒の温度を検知する温度センサ（83）と高圧冷媒圧力を検知する高圧圧力センサ（84）とを設けるだけで、切換弁（33,43,53,63）内から液冷媒が排出されたことを間接的に検知することができる。従って、複雑な検知手段を設けることなく、容易に切換弁（33,43,53,63）内から液冷媒が排出されたことを検知することができる。
【００３２】
また、第７の発明によれば、減圧弁（82）の開度を検知する開度検出部（92a）を設けるだけで、切換弁（33,43,53,63）内から液冷媒が排出されたことを間接的に検知することができる。従って、複雑な検知手段を設けることなく、容易に切換弁（33,43,53,63）内から液冷媒が排出されたことを検知することができる。
【００３３】
また、第８の発明によれば、高圧分岐管（H3,H4,H5,H6）が利用側熱交換器（31,41,51,61）と連通されない状態が長く続いても、切換弁（33,43,53,63）内の高圧の冷媒はキャピラリー通路（71）を介して低圧ガス配管（L0）へ少しずつ導かれるため、切換弁（33,43,53,63）内で冷媒が滞留して凝縮してしまうことを抑制することができる。そのため、切換弁（33,43,53,63）内に液冷媒が溜まり込んでしまうことを防止することができ、切換弁（33,43,53,63）の切り換えを円滑に行うことができる。
【００３４】
また、第８の発明によれば、切換弁（33,43,53,63）の第４ポート（33d,43d,53d,63d）と低圧ガス配管（L0）とにキャピラリー通路（71）を接続するだけで、上記連通手段（80）を容易に構成することができる。さらに、キャピラリー通路（71）を用いることで、高圧の冷媒が無駄に低圧ガス配管（L0）に流れ込むことを抑制しつつ、切換弁（33,43,53,63）内で凝縮した液冷媒を好適に排出することができる。
【００３５】
また、第９及び第１０の発明によれば、制御手段（70）によって、熱源側熱交換器（4）又は圧縮機構（2）の動作を制御することにより、高圧冷媒圧力の異常上昇又は異常低下を抑制し、冷凍サイクルの安定化を図ることができる。
【発明を実施するための最良の形態】
【００３６】
以下、本発明の実施形態を図面に基づいて詳細に説明する。
【００３７】
《発明の実施形態１》
本発明の実施形態１について説明する。
【００３８】
−全体構成−
図１に示すように、本実施形態に係る冷凍装置（1）は、室外ユニット（1A）と複数の室内ユニット（1B,1C,1D,1E）とを有し、蒸気圧縮式冷凍サイクルを行う冷媒回路（1G）を備えている。
【００３９】
〈室外ユニット〉
上記室外ユニット（1A）は、インバータ圧縮機（2A）と、第１ノンインバータ圧縮機（2B）と、第２ノンインバータ圧縮機（2C）とを備えている。また室外ユニット（1A）は、第１四路切換弁（3A）及び第２四路切換弁（3B）と熱源側熱交換器である室外熱交換器（4）とを備えている。
【００４０】
上記圧縮機（2A,2B,2C）は、例えば、密閉型の高圧ドーム型スクロール圧縮機で構成されている。上記インバータ圧縮機（2A）は、電動機がインバータ制御されて容量が段階的又は連続的に可変となるように構成されている。一方、上記第１ノンインバータ圧縮機（2B）及び第２ノンインバータ圧縮機（2C）は、電動機が常に一定回転数で駆動する一定容量式のものである。
【００４１】
上記インバータ圧縮機（2A）と第１ノンインバータ圧縮機（2B）と第２ノンインバータ圧縮機（2C）とは、冷凍装置（1）の圧縮機構（2）を構成している。また、上記インバータ圧縮機（2A）、第１ノンインバータ圧縮機（2B）及び第２ノンインバータ圧縮機（2C）の吐出管（5a,5b,5c）は、１本の第１高圧ガス管（8）に接続されている。吐出管（5a,5b,5c）には、逆止弁（7）が設けられている。
【００４２】
上記第１高圧ガス管（8）は、第１四路切換弁（3A）の第１ポート（A1）に接続されている。第１高圧ガス管（8）の中途部には、第２高圧ガス管（17）の一端が接続されている。第１四路切換弁（3A）の第２ポート（A2）には、室外ガス管（9）の一端が接続されている。第１四路切換弁（3A）の第３ポート（A3）には、吸入連絡管（6f）が接続されている。なお、吸入連絡管（6f）は、逆止弁（7）を介して後述する第２ノンインバータ圧縮機（2C）の吸入管（6c）に接続されている。また、第１四路切換弁（3A）の第４ポート（A4）は閉鎖されている。
【００４３】
上記第１四路切換弁（3A）は、第１ポート（A1）と第２ポート（A2）とが連通し、第３ポート（A3）と第４ポート（A4）とが連通する第１の状態（図の実線参照）と、第１ポート（A1）と第４ポート（A4）とが連通し、第２ポート（A2）と第３ポート（A3）が連通する第２の状態（図の破線参照）とに切り換え可能に構成されている。
【００４４】
上記室外熱交換器（4）のガス側端部には、上記室外ガス管（9）の他端が接続されている。上記室外熱交換器（4）の液側端部には、本発明に係る液配管（10）の一端が接続されている。該液配管（10）の中途部には、液冷媒を貯留するレシーバ（14）が設けられている。
【００４５】
上記液配管（10）は、第１流入管（10a）と第１流出管（10b）と液連絡管（10f）と後述する液分岐管（R3,R4,R5,R6）、又は液分岐管（R3,R4,R5,R6）と液連絡管（10f）と第２流入管（10c）とバイパス管（10e）と第１流出管（10b）と第２流出管（10d）とによって構成される。
【００４６】
第１流入管（10a）は、室外熱交換器（4）の液側端部とレシーバ（14）とに接続されている。第１流入管（10a）には、レシーバ（14）への冷媒の流入のみを許容する逆止弁（7）が設けられている。
【００４７】
第１流出管（10b）は、一端がレシーバ（14）に接続され、他端は液連絡管（10f）の一端に接続されている。第１流出管（10b）には、レシーバ（14）からの冷媒の流出のみを許容する逆止弁（7）が設けられている。
【００４８】
第２流入管（10c）は、一端が第１流出管（10b）と液連絡管（10f）との接続部に接続され、他端が第１流入管（10a）の中途部に接続されている。第２流入管（10c）には、本発明に係る膨張機構としての膨張弁（11c）が設けられると共に、該膨張弁（11c）をバイパスするバイパス管（10e）が接続されている。バイパス管（10e）には、電磁弁（12）が設けられている。また、第２流入管（10c）のバイパス管（10e）よりもレシーバ（14）側には、レシーバ（14）への冷媒の流入のみを許容する逆止弁（7）が設けられている。
【００４９】
第２流出管（10d）は、一端が第１流出管（10b）の中途部に接続され、他端が第１流入管（10a）の第２流入管（10c）との接続部よりも室外熱交換器（4）側に接続されている。第２流出管（10d）には、本発明の膨張機構としての膨張弁（11d）が設けられている。
【００５０】
上記室外熱交換器（4）は、例えば、クロスフィン式のフィン・アンド・チューブ型熱交換器であって、熱源ファンである室外ファン（4F）が近接して配置されている。
【００５１】
上記インバータ圧縮機（2A）の吸入管（6a）は、低圧ガス管（15）の一端に接続されている。また、低圧ガス管（15）の一端には分岐管（6d）が接続されている。分岐管（6d）は、逆止弁（7）を介して第２四路切換弁（3B）の第１ポート（B1）に接続されている。
【００５２】
上記第１ノンインバータ圧縮機（2B）の吸入管（6b）は、第２四路切換弁（3B）の第２ポート（B2）に接続されている。第１ノンインバータ圧縮機（2B）の吸入管（6b）には、分岐管（6e）が接続されている。分岐管（6e）は、逆止弁（7）を介してインバータ圧縮機（2A）の吸入管（6a）に接続されている。
【００５３】
上記第２ノンインバータ圧縮機（2C）の吸入管（6c）は、前述の吸入連絡管（6f）の他端に接続されている。第２ノンインバータ圧縮機（2C）の吸入管（6c）には、連絡管（6g）が接続されている。連絡管（6g）は、第１ノンインバータ圧縮機（2B）の吸入管（6b）に接続されている。
【００５４】
第２四路切換弁（3B）の第３ポート（B3）は閉鎖され、第４ポート（B4）にはレシーバ（14）と第２高圧ガス管（17）とを接続するガス抜き管（28）の分岐管（28a）が接続されている。ガス抜き管（28）には、電磁弁（13）が設けられている。
【００５５】
上記第２四路切換弁（3B）は、第１ポート（B1）と第２ポート（B2）とが連通し、第３ポート（B3）と第４ポート（B4）とが連通する第１の状態（図の実線参照）と、第１ポート（B1）と第４ポート（B4）とが連通し、第２ポート（B2）と第３ポート（B3）が連通する第２の状態（図の破線参照）とに切り換え可能に構成されている。
【００５６】
第２高圧ガス管（17）、低圧ガス管（15）及び液連絡管（10f）は室外ユニット（1A）から室内側に向かって延びている。低圧ガス管（15）及び液連絡管（10f）の室外ユニット（1A）内部分であって室内側端部には、それぞれ閉鎖弁（20）が設けられている。
【００５７】
上記吐出管（5a,5b,5c）と第１高圧ガス管（8）と第２高圧ガス管（17）とにより、圧縮機構（2）の吐出側に接続された高圧ガス配管（H0）の主管（H1）が構成されている。また、高圧ガス配管（H0）は、主管（H1）と、該主管（H1）から室内ユニット（1B,1C,1D,1E）に向かって分岐する高圧分岐管（H3,H4,H5,H6）とにより構成されている。
【００５８】
また、上記低圧ガス管（15）と分岐管（6d）と連絡管（6g）と吸入管（6a,6b,6c）とにより、又は上記低圧ガス管（15）と吸入管（6a）とにより、圧縮機構（2）の吸入側に接続された低圧ガス配管（L0）の主管（L1）が構成されている。また、低圧ガス配管（L0）は、主管（L1）と、該主管（L1）から室内ユニット（1B,1C,1D,1E）に向かって分岐する低圧分岐管（L3,L4,L5,L6）とにより構成されている。
【００５９】
さらに、上記第１流入管（10a）と第１流出管（10b）と液連絡管（10f）とにより、又は液連絡管（10f）と第２流入管（10c）とバイパス管（10e）と第１流出管（10b）と第２流出管（10d）とにより、液配管（10）の主管（R1）が構成されている。また、液配管（10）は、主管（R1）と、該主管（R1）から室内ユニット（1B,1C,1D,1E）に向かって分岐する液分岐管（R3,R4,R5,R6）とにより構成されている。
【００６０】
〈室内ユニット〉
上記室内ユニット（1B,1C,1D,1E）は、それぞれ利用側熱交換器である室内熱交換器（31,41,51,61）と、膨張機構である膨張弁（32,42,52,62）と、四路切換弁（33,43,53,63）とを備えている。なお、室内熱交換器（31,41,51,61）は、例えば、クロスフィン式のフィン・アンド・チューブ型熱交換器であって、利用側ファンである室内ファン（31F,41F,51F,61F）が近接して配置されている。
【００６１】
また、室内ユニット（1B,1C,1D,1E）には、高圧ガス配管（H0）の主管（H1）から室内ユニット（1B,1C,1D,1E）に向かって分岐された高圧分岐管（H3,H4,H5,H6）と、低圧ガス配管（L0）の主管（L1）から室内ユニット（1B,1C,1D,1E）に向かって分岐された低圧分岐管（L3,L4,L5,L6）と、液配管（10）の主管（R1）から室内ユニット（1B,1C,1D,1E）に向かって分岐された液分岐管（R3,R4,R5,R6）とがそれぞれ配設されている。
【００６２】
四路切換弁（33,43,53,63）は、それぞれ第１ポート（33a,43a,53a,63a）、第２ポート（33b,43b,53b,63b）、第３ポート（33c,43c,53c,63c）及び第４ポート（33d,43d,53d,63d）を有している。第１ポート（33a,43a,53a,63a）には、上記高圧分岐管（H3,H4,H5,H6）が接続されている。第２ポート（33b,43b,53b,63b）には、上記室内熱交換器（31,41,51,61）のガス側端部が接続されている。第３ポート（33c,43c,53c,63c）には、上記低圧分岐管（L3,L4,L5,L6）が接続されている。第４ポート（33d,43d,53d,63d）は閉塞されている。
【００６３】
四路切換弁（33,43,53,63）は、第１ポート（33a,43a,53a,63a）と第４ポート（33d,43d,53d,63d）とが連通し、第２ポート（33b,43b,53b,63b）と第３ポート（33c,43c,53c,63c）とが連通する第１の状態（図の実線参照）と、第１ポート（33a,43a,53a,63a）と第２ポート（33b,43b,53b,63b）とが連通し、第３ポート（33c,43c,53c,63c）と第４ポート（33d,43d,53d,63d）とが連通する第２の状態（図の破線参照）とに切換可能に構成されている。四路切換弁（33,43,53,63）は、本体、パイロット弁及びパイロット弁駆動用ソレノイドを有する四路切換弁によって構成され、コントローラ（70）からの制御指令に基づいてパイロット弁駆動用ソレノイドがパイロット弁を駆動し、本体を上記第１の状態又は第２の状態に切り換える。
【００６４】
上記液分岐管（R3,R4,R5,R6）は、室内熱交換器（31,41,51,61）の液側端部に接続されている。また、上記膨張弁（32,42,52,62）は、室内熱交換器（31,41,51,61）の液側端部に設けられている。
【００６５】
〈連通手段〉
冷凍装置（1）は、室内熱交換器（31,41,51,61）と低圧分岐管（L3,L4,L5,L6）とが連通している状態において、四路切換弁（33,43,53,63）の高圧ガス側を低圧ガス配管（L0）に連通させる連通手段（80）を備えている。
【００６６】
連通手段（80）は、高圧分岐管（H3,H4,H5,H6）と低圧ガス配管（L0）とを連通する連通管（81）と、連通管（81）に設けられ、開度が可変に構成された減圧弁（82）とを備えている。なお、本実施形態では、連通管（81）の一端は、低圧ガス配管（L0）の低圧分岐管（L3,L4,L5,L6）に接続されているが、主管（L1）に接続されていてもよい。
【００６７】
また、連通手段（80）は、四路切換弁（33,43,53,63）内に液冷媒が溜まり込んでいることを検知する液検知手段（90）と、該液検知手段（90）が四路切換弁（33,43,53,63）内の液冷媒の溜まり込みを検知すると、減圧弁（82）の開度を増大させる開度増大手段（91）とを備えている。また、連通手段（80）は、連通管（81）内の冷媒の温度を検知する温度センサ（83）と、冷媒回路（1G）の高圧冷媒圧力を検知する高圧圧力センサ（84）とを備えている。
【００６８】
さらに、連通手段（80）は、四路切換弁（33,43,53,63）から液冷媒が排出されたことを検知する排出検知手段（92）と、該排出検知手段（92）が四路切換弁（33,43,53,63）の液冷媒の排出を検知すると上記減圧弁（82）を全閉とする閉制御手段（93）とを備えている。また、排出検知手段（92）は、上記減圧弁（82）の開度を検知する開度検出部（92a）を備えている。
【００６９】
〈制御系統〉
上記冷媒回路（1G）には、各種センサ及び各種スイッチが設けられている。上記室外ユニット（1A）の第１高圧ガス管（8）には、冷媒回路（1G）の高圧冷媒圧力を検知する上記高圧圧力センサ（84）が設けられている。また、上記インバータ圧縮機（2A）及び第１，第２ノンインバータ圧縮機（2B,2C）の吐出管（5a,5b,5c）には、それぞれ高圧冷媒温度を検出する吐出温度センサ（85a,85b,85c）と、高圧冷媒圧力が所定値になると開く圧力スイッチ（86a,86b,86c）とが設けられている。
【００７０】
上記低圧ガス管（15）の閉鎖弁（20）よりも圧縮機構（2）側には、冷媒回路（1G）の低圧冷媒圧力を検知する低圧圧力センサ（87a）が設けられている。また、上記第２ノンインバータ圧縮機（2C）の吸入管（6c）の端部には、低圧冷媒圧力を検出する低圧圧力センサ（87c）が設けられている。さらに、上記インバータ圧縮機（2A）の吸入管（6a）の端部には、低圧冷媒温度を検出する吸入温度センサ（88a）が設けられている。また、上記吸入連絡管（6f）には、低圧冷媒温度を検出する吸入温度センサ（88f）が設けられている。
【００７１】
上記室外ユニット（1A）には、室外空気温度を検出する外気温度センサ（89）が設けられている。
【００７２】
上記液連絡管（10f）と第１流出管（10b）と第２流入管（10c）との接続部には、液配管（10）を流れる液冷媒の圧力を検出する液圧力センサ（21）が設けられている。また、第１流入管（10a）のレシーバ（14）付近には、レシーバ（14）に流入する液冷媒の温度を検出する液温度センサ（22）が設けられている。
【００７３】
上記室内熱交換器（31,41,51,61）には、該室内熱交換器（31,41,51,61）における冷媒温度である凝縮温度又は蒸発温度を検出する温度センサ（23b,23c,23d,23e）と、ガス側にガス冷媒温度を検出するガス温度センサ（24b,24c,24d,24e）とが設けられている。また、上記室内ユニット（1B,1C,1D,1E）には、室内空気温度を検出する室温センサ（25b,25c,25d,25e）が設けられている。
【００７４】
そして、上述のように、連通管（81）にはそれぞれ温度センサ（83）が設けられている。温度センサ（83）は、連通管（81）内の冷媒の温度を検知する。
【００７５】
上記各種センサ及び各種スイッチの出力信号は、コントローラ（70）に入力される。このコントローラ（70）は、冷媒回路（1G）の運転を制御し、後述する６種類の運転モードを切り換えて制御するように構成されている。
【００７６】
具体的には、コントローラ（70）は、インバータ圧縮機（2A）の起動、停止及び容量制御（インバータ周波数の制御）や、第１ノンインバータ圧縮機（2B）及び第２ノンインバータ圧縮機（2C）の起動及び停止を行う。また、上記コントローラ（70）は、四路切換弁（3A,3B,33,43,53,63）の切換、膨張弁（11c,11d,32,42,52,62）の開度調節、及び電磁弁（13,12）の開閉制御も行う。
【００７７】
さらに、コントローラ（70）は、上記連通手段（80）の液検知手段（90）、開度増大手段（91）、排出検知手段（92）及び閉制御手段（93）を備え、減圧弁（82）の開閉制御及び開度調節を行う。
【００７８】
−運転動作−
次に、上記冷凍装置（1）が行う運転動作について運転毎に説明する。この実施形態１では、例えば、（i）全冷房運転、（ii）第１冷暖運転、（iii）第２冷暖運転、（iv）第３冷暖運転、（v）第４冷暖運転、（vi）全暖房運転、の６種類の運転モードを設定することができるように構成されている。以下、それぞれの運転について具体的に説明する。
【００７９】
〈全冷房運転〉
図２に示すように、全冷房運転は、全ての室内ユニット（1B,1C,1D,1E）において冷房を行う運転である。
【００８０】
全冷房運転では、コントローラ（70）により、第１四路切換弁（3A）及び第２四路切換弁（3B）が第１の状態に制御され、四路切換弁（33,43,53,63）が第１の状態に制御される。なお、膨張弁（11c）、膨張弁（11d）、電磁弁（12）及び電磁弁（13）は閉鎖されている。
【００８１】
この状態において圧縮機（2A,2B,2C）が起動されると、圧縮機（2A,2B,2C）から吐出した冷媒は、吐出管（5a,5b,5c）から第１高圧ガス管（8）へ流入し、第１四路切換弁（3A）及び室外ガス管（9）を通過した後、室外熱交換器（4）に流入する。冷媒は、該室外熱交換器（4）において凝縮して液冷媒となり、液配管（10）を介して室内ユニット（1B,1C,1D,1E）側へと導かれる。具体的には、第１流入管（10a）からレシーバ（14）に流入し、第１流出管（10b）及び液連絡管（10f）を介して室内ユニット（1B,1C,1D,1E）側へと導かれる。
【００８２】
液配管（10）を介して室内側に導かれた液冷媒は、液配管（10）の主管（R1）から液分岐管（R3,R4,R5,R6）に流入し、膨張弁（32,42,52,62）で減圧された後、室内熱交換器（31,41,51,61）に流入する。液冷媒は、室内熱交換器（31,41,51,61）において蒸発してガス冷媒となる。
【００８３】
室内熱交換器（31,41,51,61）において蒸発したガス冷媒は、低圧分岐管（L3,L4,L5,L6）から低圧ガス配管（L0）へ合流し、圧縮機（3A,3B,3C）に吸入される。具体的には、ガス冷媒は、低圧分岐管（L3,L4,L5,L6）から低圧ガス管（15）に流入した後、一部は吸入管（6a）を通ってインバータ圧縮機（2A）に吸入され、残りは分岐管（6d）に流入する。また、分岐管（6d）を流れるガス冷媒の一部は吸入管（6b）を通って第１ノンインバータ圧縮機（2B）に吸入され、残りは連絡管（6g）及び吸入管（6c）を通って第２ノンインバータ圧縮機（2C）に吸入される。
【００８４】
以上の動作が繰り返されることにより、室内ユニット（1B,1C,1D,1E）が設けられた室内が冷却される。
【００８５】
〈第１冷暖運転〉
図３に示すように、第１冷暖運転は、一部の室内ユニット（1B）において暖房を行い、他の室内ユニット（1C,1D,1E）において冷房を行うものであって、暖房を行う室内ユニット（1B）よりも冷房を行う室内ユニット（1C,1D,1E）の方が多い場合の運転である。
【００８６】
第１冷暖運転では、コントローラ（70）により、第１四路切換弁（3A）及び第２四路切換弁（3B）が第１の状態に制御される。また、コントローラ（70）により、四路切換弁（33）が第２の状態に制御され、四路切換弁（43,53,63）が第１の状態に制御される。なお、膨張弁（11c）、膨張弁（11d）、電磁弁（12）及び電磁弁（13）は閉鎖されている。
【００８７】
この状態において圧縮機（2A,2B,2C）が起動されると、圧縮機（2A,2B,2C）から吐出した冷媒は、吐出管（5a,5b,5c）から第１高圧ガス管（8）へ流入し、その一部は第２高圧ガス管（17）に流入する一方、残りは第１四路切換弁（3A）を介して室外ガス管（9）に流入する。
【００８８】
第２高圧ガス管（17）に流入した冷媒は、高圧分岐管（H3）及び四路切換弁（33）を通過した後、室内熱交換器（31）に流入する。一方、室外ガス管（9）を通過した冷媒は、室外熱交換器（4）に流入する。
【００８９】
室内熱交換器（31）において冷媒は凝縮して液冷媒となり、膨張弁（32）を通過した後、液分岐管（R3）を経て液連絡管（10f）に流入する。一方、室外熱交換器（4）に流入した冷媒は凝縮して液冷媒となり、液配管（10）を介して室内ユニット（1C,1D,1E）側へと導かれる。具体的には、液冷媒は、第１流入管（10a）からレシーバ（14）に流入し、第１流出管（10b）及び液連絡管（10f）を介して室内ユニット（1C,1D,1E）側へと導かれる。そして、該液冷媒は、液連絡管（10f）において、上記室内ユニット（1B）から流出した液冷媒と合流して室内ユニット（1C,1D,1E）側へと流れる。
【００９０】
液連絡管（10f）を室内ユニット（1C,1D,1E）側へと流れる液冷媒は、液分岐管（R4,R5,R6）に流入し、膨張弁（42,52,62）で減圧された後、室内熱交換器（41,51,61）に流入する。そして、液冷媒は、室内熱交換器（41,51,61）において蒸発してガス冷媒となる。
【００９１】
室内熱交換器（41,51,61）において蒸発したガス冷媒は、低圧分岐管（L4,L5,L6）を経て低圧ガス配管（L0）で合流し、圧縮機（2A,2B,2C）に吸入される。具体的には、ガス冷媒は、低圧分岐管（L4,L5,L6）を経て低圧ガス管（15）で合流した後、一部は吸入管（6a）を通ってインバータ圧縮機（2A）に吸入され、残りは分岐管（6d）に流入する。また、分岐管（6d）を流れるガス冷媒の一部は吸入管（6b）を通って第１ノンインバータ圧縮機（2B）に吸入され、残りは連絡管（6g）及び吸入管（6c）を通って第２ノンインバータ圧縮機（2C）に吸入される。
【００９２】
以上の動作が繰り返されることにより、室内ユニット（1B）が設けられた室内は加熱され、室内ユニット（1C,1D,1E）が設けられた室内は冷却される。
【００９３】
〈第２冷暖運転〉
図４に示すように、第２冷暖運転は、室外熱交換器（4）を用いずに、一部の室内ユニット（1B,1C）において暖房を行い、他の室内ユニット（1D,1E）において冷房を行う熱回収運転である。
【００９４】
第２冷暖運転では、コントローラ（70）により、第１四路切換弁（3A）が第２の状態に制御され、第２四路切換弁（3B）が第１の状態に制御される。また、コントローラ（70）により、四路切換弁（33,43）が第２の状態に制御され、四路切換弁（53,63）が第１の状態に制御される。なお、膨張弁（11c）、膨張弁（11d）、電磁弁（12）及び電磁弁（13）は閉鎖されている。
【００９５】
この状態において圧縮機（2A,2B,2C）が起動されると、圧縮機（2A,2B,2C）から吐出した冷媒は、吐出管（5a,5b,5c）から第１高圧ガス管（8）へ流入し、第２高圧ガス管（17）、高圧分岐管（H3,H4）及び四路切換弁（33,43）を通過した後、室内熱交換器（31,41）に流入する。
【００９６】
室内熱交換器（31,41）に流入した冷媒は凝縮して液冷媒となり、膨張弁（32,42）を通過した後、液分岐管（R3,R4）を経て液連絡管（10f）に流入し、室内ユニット（1D,1E）側へと流れる。
【００９７】
液連絡管（10f）を室内ユニット（1D,1E）側へと流れる液冷媒は、液分岐管（R5,R6）に流入し、膨張弁（52,62）を経た後、室内熱交換器（51,61）に流入する。そして、液冷媒は、室内熱交換器（51,61）において蒸発してガス冷媒となる。
【００９８】
室内熱交換器（51,61）において蒸発したガス冷媒は、低圧分岐管（L5,L6）を経て低圧ガス配管（L0）で合流し、圧縮機（3A,3B,3C）に吸入される。具体的には、ガス冷媒は、低圧分岐管（L5,L6）を経て低圧ガス管（15）で合流した後、一部は吸入管（6a）を通ってインバータ圧縮機（2A）に吸入され、残りは分岐管（6d）に流入する。また、分岐管（6d）を流れるガス冷媒の一部は吸入管（6b）を通って第１ノンインバータ圧縮機（2B）に吸入され、残りは連絡管（6g）及び吸入管（6c）を通って第２ノンインバータ圧縮機（2C）に吸入される。
【００９９】
以上の動作が繰り返されることにより、室外熱交換器（4）を用いることなく、室内ユニット（1B,1C）が設けられた室内は加熱され、室内ユニット（1D,1E）が設けられた室内は冷却される。つまり、室内ユニット（1B,1C）の暖房能力（凝縮熱量）と、室内ユニット（1D,1E）の冷房能力（蒸発熱量）とがバランスし、１００％の熱回収が行われる。
【０１００】
〈第３冷暖運転〉
図５に示すように、第３冷暖運転は、一部の室内ユニット（1B,1C,1D）において暖房を行い、他の室内ユニット（1E）において冷房を行うものであって、暖房を行う室内ユニット（1B,1C,1D）よりも冷房を行う室内ユニット（1E）の方が少なく、また外気温度センサ（89）が検出する外気温が高い場合の運転である。
【０１０１】
第３冷暖運転では、コントローラ（70）により、第１四路切換弁（3A）が第２の状態に制御され、第２四路切換弁（3B）が第１の状態に制御される。また、コントローラ（70）により、四路切換弁（33,43,53）が第２の状態に制御され、四路切換弁（63）が第１の状態に制御される。なお、膨張弁（11c）、膨張弁（11d）、電磁弁（12）は開かれて開度が調節される一方、電磁弁（13）は閉鎖されている。
【０１０２】
この状態において圧縮機（2A,2B,2C）が起動されると、圧縮機（2A,2B,2C）から吐出した冷媒は、吐出管（5a,5b,5c）から第１高圧ガス管（8）へ流入し、第２高圧ガス管（17）、高圧分岐管（H3,H4,H5）及び四路切換弁（33,43,53）を通過した後、室内熱交換器（31,41,51）に流入する。
【０１０３】
室内熱交換器（31,41,51）に流入した冷媒は凝縮して液冷媒となり、膨張弁（32,42,52）を通過した後、液分岐管（R3,R4,R5）を経て液連絡管（10f）に流入する。
【０１０４】
液分岐管（R3,R4,R5）から液連絡管（10f）に流入した液冷媒の一部は室外ユニット（1A）側に向かって流れ、残りは室内ユニット（1E）に向かって流れる。
【０１０５】
液連絡管（10f）を室外ユニット（1A）側に流れる液冷媒は、第２流入管（10c）を通ってレシーバ（14）に流入する。なお、第２流入管（10c）を流れる液冷媒の一部は膨張弁（11c）を通過して減圧される一方、残りの液冷媒はバイパス管（10e）に流入して膨張弁（11c）を迂回した後、上記膨張弁（11c）を経た冷媒と合流し、レシーバ（14）に流入する。レシーバ（14）から流出した液冷媒は、第１流出管（10b）及び第２流出管（10d）を通過し、膨張弁（11d）で減圧された後、室外熱交換器（4）に流入する。そして、液冷媒は、室外熱交換器（4）において蒸発してガス冷媒となる。
【０１０６】
室外熱交換器（4）のガス冷媒は、室外ガス管（9）及び第１四路切換弁（3A）を通過した後、吸入連絡管（6f）に流入する。吸入連絡管（6f）に流入したガス冷媒の一部は、吸入管（6c）を介して第２ノンインバータ圧縮機（2C）に吸入される一方、残りのガス冷媒は連絡管（6g）に流入する。連絡管（6g）に流入したガス冷媒の一部は、吸入管（6b）を介して第１ノンインバータ圧縮機（2B）に吸入される一方、残りのガス冷媒は分岐管（6e）及び吸入管（6a）を介してインバータ圧縮機（2A）に吸入される。
【０１０７】
一方、液連絡管（10f）を室内ユニット（1E）側に流れる液冷媒は、液分岐管（R6）に流入し、膨張弁（62）において減圧された後、室内熱交換器（61）に流入する。そして、液冷媒は、室内熱交換器（61）において蒸発してガス冷媒となる。
【０１０８】
室内熱交換器（61）において蒸発したガス冷媒は、低圧分岐管（L6）から低圧ガス配管（L0）に流入し、圧縮機（2A）に吸入される。具体的には、ガス冷媒は、低圧分岐管（L6）を通過して低圧ガス管（15）に流入した後、室外熱交換器（4）側から流れてくるガス冷媒と合流し、吸入管（6a）を介してインバータ圧縮機（2A）に吸入される。
【０１０９】
以上の動作が繰り返されることにより、室内ユニット（1B,1C,1D）が設けられた室内は加熱され、室内ユニット（1E）が設けられた室内は冷却される。
【０１１０】
〈第４冷暖運転〉
図６に示すように、第４冷暖運転は、一部の室内ユニット（1B,1C,1D）において暖房を行い、他の室内ユニット（1E）において冷房を行うものであって、暖房を行う室内ユニット（1B,1C,1D）よりも冷房を行う室内ユニット（1E）の方が少なく、また外気温度センサ（89）が検出する外気温が低い場合の運転である。
【０１１１】
第４冷暖運転は、第３冷暖運転において、第２四路切換弁（3B）が第２の状態に切り替わっている他は、上記第３冷暖運転と同じである。従って、冷媒の動作についても上記第３冷暖運転とほぼ同様であるが、上記第３冷暖運転では、室外熱交換器（4）から流出したガス冷媒が３つの圧縮機（2A,2B,2C）の全てに吸入されていたところ、第４冷暖運転では、第１ノンインバータ圧縮機（2B）及び第２ノンインバータ圧縮機（2C）のみに吸入されてインバータ圧縮機（2A）には吸入されない。
【０１１２】
具体的には、外気温が低いために室外熱交換器（4）での吸熱量が低下し、室外熱交換器（4）から流出したガス冷媒の圧力が低下する。そして、室外熱交換器（4）から流出したガス冷媒は、室外ガス管（9）及び第１四路切換弁（3A）を通過した後、吸入連絡管（6f）に流入する。吸入連絡管（6f）に流入したガス冷媒の一部は、吸入管（6c）を介して第２ノンインバータ圧縮機（2C）に吸入される一方、残りのガス冷媒は連絡管（6g）及び吸入管（6b）を介して第１ノンインバータ圧縮機（2B）に吸入されるが、インバータ圧縮機（2A）には吸入されない。
【０１１３】
インバータ圧縮機（2A）は、室内熱交換器（61）から流出し、低圧分岐管（L6）、低圧ガス管（15）及び吸入管（6a）を通過したガス冷媒のみを吸入する。
【０１１４】
以上の動作が繰り返されることにより、室内ユニット（1B,1C,1D）が設けられた室内は加熱され、室内ユニット（1E）が設けられた室内は冷却される。
【０１１５】
〈全暖房運転〉
図７に示すように、全暖房運転は、全ての室内ユニット（1B,1C,1D,1E）において暖房を行う場合の運転である。
【０１１６】
全暖房運転では、コントローラ（70）により、第１四路切換弁（3A）が第２の状態に制御され、第２四路切換弁（3B）が第１の状態に制御される。また、コントローラ（70）により、四路切換弁（33,43,53,63）が第２の状態に制御される。なお、膨張弁（11c）、膨張弁（11d）、電磁弁（12）は開かれて開度が調節される一方、電磁弁（13）は閉鎖されている。
【０１１７】
この状態において圧縮機（2A,2B,2C）が起動されると、圧縮機（2A,2B,2C）から吐出した冷媒は、吐出管（5a,5b,5c）から第１高圧ガス管（8）へ流入し、第２高圧ガス管（17）、高圧分岐管（H3,H4,H5）および四路切換弁（33,43,53,63）を通過した後、室内熱交換器（31,41,51,61）に流入する。
【０１１８】
室内熱交換器（31,41,51,61）に流入した冷媒は凝縮して液冷媒となり、膨張弁（32,42,52,62）を通過した後、液分岐管（R3,R4,R5,R6）を経て液連絡管（10f）に流入する。
【０１１９】
液連絡管（10f）に流入した液冷媒は、第２流入管（10c）を通ってレシーバ（14）に流入する。なお、第２流入管（10c）を流れる液冷媒は、膨張弁（11c）を通過して減圧される一方、残りの液冷媒はバイパス管（10e）に流入して膨張弁（11c）を迂回した後、上記膨張弁（11c）を経た冷媒と合流し、レシーバ（14）に流入する。レシーバ（14）から流出した液冷媒は、第１流出管（10b）および第２流出管（10d）を通過し、膨張弁（11d）で減圧された後、室外熱交換器（4）に流入する。そして、液冷媒は、室外熱交換器（4）において蒸発してガス冷媒となる。
【０１２０】
室外熱交換器（4）のガス冷媒は、室外ガス管（9）を介して第１四路切換弁（3A）を通過した後、吸入連絡管（6f）に流入する。吸入連絡管（6f）に流入したガス冷媒の一部は、吸入管（6c）を介して第２ノンインバータ圧縮機（2C）に吸入される一方、残りのガス冷媒は連絡管（6g）に流入する。連絡管（6g）に流入したガス冷媒の一部は、吸入管（6b）を介して第１ノンインバータ圧縮機（2B）に吸入される一方、残りのガス冷媒は分岐管（6e）及び吸入管（6a）を介してインバータ圧縮機（2A）に吸入される。
【０１２１】
以上の動作が繰り返されることにより、室内ユニット（1B,1C,1D,1E）が設けられた室内は加熱される。
【０１２２】
〈液排出動作〉
ところで、本冷凍装置（1）では、室内ユニット（1B,1C,1D,1E）の四路切換弁（33,43,53,63）が第１の状態であって、室内熱交換器（31,41,51,61）と低圧分岐管（L3,L4,L5,L6）とが連通して室内が冷却される際には、高圧分岐管（H3,H4,H5,H6）及び四路切換弁（33,43,53,63）内の高圧分岐管（H3,H4,H5,H6）と連通する空間では冷媒ガスが流動せずに滞留してしまう。そして、該冷媒ガスは時間の経過と共に温度が低下し、該温度が高圧圧力相当飽和温度より下回ると凝縮して液冷媒となる。そのため、室内熱交換器（31,41,51,61）と低圧分岐管（L3,L4,L5,L6）とが連通する状態が長く続くと、多量の液冷媒が高圧分岐管（H3,H4,H5,H6）及び四路切換弁（33,43,53,63）内に溜まり込んでしまい、四路切換弁（33,43,53,63）が切り換わり難くなるという問題があった。
【０１２３】
そこで、本冷凍装置（1）では、冷却運転を行っている室内ユニット（1B,1C,1D,1E）の四路切換弁（33,43,53,63）に液冷媒が溜まり込むと、以下の液排出動作を行う。なお、以下では一例として第１冷暖運転時の液排出動作について図３及び図８を用いて説明する。
【０１２４】
液排出動作は、四路切換弁（43,53,63）に液冷媒が溜まり込んでいることを検知して減圧弁（82）を開く開動作と、四路切換弁（43,53,63）から液冷媒が排出されたことを検知して減圧弁（82）を閉じる閉動作とからなる。
【０１２５】
《開動作》
まず、コントローラ（70）の液検知手段（90）により、冷却運転を行っている室内ユニット（1C,1D,1E）の四路切換弁（43,53,63）内に液冷媒が溜まり込んでいるか否かが判別される。具体的には、液検知手段（90）は、高圧圧力センサ（84）の検出値に基づく高圧圧力相当飽和温度ｆ(ＨＰ)から温度センサ（83）の検出値に基づく連通管（81）内の冷媒の温度ＴＬを減じた値が５℃よりも大きい状態が５分以上続いているか否かを判別する（ステップＳ１）。
【０１２６】
そして、上記判別結果が「Ｎｏ」の場合、液検知手段（90）による判別を継続する。一方、上記判別結果が「Ｙｅｓ」の場合、液検知手段（90）によって四路切換弁（43,53,63）内の液冷媒の溜まり込みが検知され、ステップＳ２に進む。
【０１２７】
ステップＳ２では、開度増大手段（91）により、連通管（81）に設けられた減圧弁（82）の開度が１００ｐｌｓだけ増大される。その結果、高圧分岐管（H3,H4,H5,H6）内の冷媒が連通管（81）を介して低圧ガス配管（L0）に引き込まれると共に、四路切換弁（43,53,63）内に溜まり込んだ液冷媒も高圧分岐管（H3,H4,H5,H6）を介して低圧ガス配管（L0）側へ排出されることとなる。
【０１２８】
その後、ステップＳ１に戻り、液検知手段（90）による判別が行われる。そして、液検知手段（90）により、依然として四路切換弁（43,53,63）内に液冷媒が溜まり込んでいると判別されると、減圧弁（82）の開度がさらに１００ｐｌｓだけ増大され、上記制御が繰り返される。
【０１２９】
《閉動作》
まず、コントローラ（70）の排出検知手段（92）により、冷却運転を行っている室内ユニット（1C,1D,1E）の四路切換弁（43,53,63）内から液冷媒が排出されたか否かが判別される。具体的には、排出検知手段（92）は、高圧圧力センサ（84）の検出値に基づく高圧圧力相当飽和温度ｆ(ＨＰ)から温度センサ（83）の検出値に基づく連通管（81）内の温度ＴＬを減じた値が２℃よりも小さいか否か、又は開度検出部（92a）によって検出される減圧弁（82）の開度が全開状態であるか否かの少なくとも一方の条件が満たされているか否かを判別する（ステップＳ１）。
【０１３０】
そして、上記判別結果が「Ｎｏ」の場合、排出検知手段（92）による判別を継続する。一方、上記判別結果が「Ｙｅｓ」の場合、排出検知手段（92）によって四路切換弁（43,53,63）から液冷媒が排出されたことが検知され、ステップＳ２に進む。
【０１３１】
ステップＳ２では、閉制御手段（93）により、連通管（81）に設けられた減圧弁（82）が全閉に制御される。これにより、無駄に高圧ガス配管（H0）から低圧ガス配管（L0）側へ冷媒が排出されない。
【０１３２】
−実施形態１の効果−
本冷凍装置（1）によれば、連通手段（80）を備えているため、室内熱交換器（31,41,51,61）のガス側端と低圧ガス配管（L0）とが連通する際に、四路切換弁（33,43,53,63）の高圧ガス側を低圧ガス配管（L0）に連通させることができる。これにより、四路切換弁（33,43,53,63）内で冷媒が凝縮して液冷媒となった場合であっても、該液冷媒及び冷媒と共に凝縮した冷凍機油を低圧ガス配管（L0）に排出することができる。従って、液冷媒及び冷凍機油によって四路切換弁（33,43,53,63）の切り換えが阻害されることがなく、切り換えを円滑に行うことができる。
【０１３３】
また、本冷凍装置（1）によれば、連通管（81）と減圧弁（82）とを備えているため、四路切換弁（33,43,53,63）内に液冷媒や冷凍機油が溜まり込んでしまった場合であっても、減圧弁（82）を開くだけで液冷媒及び冷凍機油を四路切換弁（33,43,53,63）内から容易に排出することができる。従って、四路切換弁（33,43,53,63）の切り換えを円滑に行うことができる。また、本発明に係る連通手段（80）を容易に構成することができる。
【０１３４】
さらに、本冷凍装置（1）によれば、液検知手段（90）と開度増大手段（91）とを備えているため、四路切換弁（33,43,53,63）内に液冷媒が溜まり込んだときにだけ減圧弁（82）を開き、必要に応じて四路切換弁（33,43,53,63）の開度を増大させることができる。これにより、四路切換弁（33,43,53,63）内の液冷媒及び冷凍機油を適宜、迅速に排出することができる。
【０１３５】
ところで、高圧分岐管（H3,H4,H5,H6）に接続された連通路（81）内の冷媒の温度ＴＬが高圧圧力相当飽和温度ｆ(ＨＰ)より下回ると、四路切換弁（33,43,53,63）及び高圧分岐管（H3,H4,H5,H6）内の冷媒も高圧圧力相当飽和温度ｆ(ＨＰ)よりも下回り、冷媒が凝縮して液冷媒となると予測される。そのため、連通路（81）内の冷媒の温度ＴＬ及び高圧冷媒圧力に基づく高圧圧力相当飽和温度ｆ(ＨＰ)を求めることで四路切換弁（33,43,53,63）内への液冷媒の溜まり込みの有無を間接的に検知することができる。
【０１３６】
そこで、本冷凍装置（1）では、高圧圧力センサ（84）と温度センサ（83）とを設け、高圧圧力センサ（84）の検出値に基づく高圧圧力相当飽和温度ｆ(ＨＰ)から温度センサ（83）の検出値ＴＬを減じた値が所定の上限値（５℃）よりも大きい状態が所定時間（５分）続いた場合に、四路切換弁（33,43,53,63）内の液冷媒の溜まり込みを検知することとしている。言い換えると、本冷凍装置（1）によれば、高圧圧力センサ（84）と温度センサ（83）とを設けるだけで、四路切換弁（33,43,53,63）内の液冷媒の溜まり込みを検知することができる。従って、複雑な検知手段を設けることなく、容易に四路切換弁（33,43,53,63）内への液冷媒の溜まり込みを検知することができる。
【０１３７】
また、本冷凍装置（1）は排出検知手段（92）と閉制御手段（93）とを備えているため、四路切換弁（33,43,53,63）内に液冷媒が溜まり込んだときにだけ減圧弁（82）を開けて液冷媒を排出し、排出後には減圧弁（82）を閉じて高圧の冷媒が無駄に低圧ガス配管（L0）に流れ込むことを抑制することができる。
【０１３８】
ところで、四路切換弁（33,43,53,63）内の液冷媒が連通路（81）を介して低圧ガス配管（L0）に排出されると、連通路（81）内には高圧のガス冷媒が供給される。高圧のガス冷媒の温度は高圧圧力相当飽和温度ｆ(ＨＰ)を上回っているため、連通路（81）内の冷媒の温度ＴＬと高圧冷媒圧力に基づく高圧圧力相当飽和温度ｆ(ＨＰ)とを求めることで四路切換弁（33,43,53,63）内の液冷媒の排出を間接的に検知することができる。
【０１３９】
一方、減圧弁（82）の開度が全開状態になると、四路切換弁（33,43,53,63）内に溜まり込んだ液冷媒は、速やかに瞬時に低圧ガス配管（L0）へ流れる。よって、減圧弁（82）の全開状態を検知することによっても、四路切換弁（33,43,53,63）内の液冷媒の排出を間接的に検知することができる。
【０１４０】
そこで、本冷凍装置（1）では、高圧圧力センサ（84）の検出値に基づく高圧圧力相当飽和温度ｆ(ＨＰ)から温度センサ（83）の検出値ＴＬを減じた値が所定の下限値（２℃）よりも小さい、又は開度検出部（92a）によって検出される減圧弁（82）の開度が全開状態であるという条件の少なくとも一方が満たされているときに、四路切換弁（33,43,53,63）内から液冷媒が排出されたことを検知することとしている。これにより、本冷凍装置（1）によれば、高圧圧力センサ（84）と温度センサ（83）、又は開度検出部（92a）を設けるだけで、四路切換弁（33,43,53,63）内から液冷媒が排出されたことを間接的に検知することができる。従って、複雑な検知手段を設けることなく、容易に四路切換弁（33,43,53,63）内の液冷媒の排出を検知することができる。
【０１４１】
−実施形態１の変形例−
なお、上記実施形態１では、連通管（81）の一端を低圧ガス配管（L0）の低圧分岐管（L3,L4,L5,L6）に接続していたが、低圧ガス配管（L0）の主管（L1）に接続することとしても勿論よい。また、上記実施形態１では、本発明に係る切換弁として四路切換弁（33,43,53,63）を用いていたが、三路切換弁を用いてもよい。
【０１４２】
《発明の実施形態２》
本発明の実施形態２について、図９を参照しながら説明する。
【０１４３】
−全体構成−
実施形態２は、実施形態１の連通手段（80）の構成を変更したものである。その他の構成については実施形態１と同様であるため説明を省略し、以下、連通手段（80）についてのみ説明する。
【０１４４】
〈連通手段〉
連通手段（80）は、四路切換弁（33,43,53,63）内に溜まり込んだ液冷媒を低圧ガス配管（L0）に排出するためのキャピラリー通路（71）を備えている。キャピラリー通路（71）は、一端が四路切換弁（33,43,53,63）の第４ポート（33d,43d,53d,63d）に接続され、他端が低圧ガス配管（L0）に接続されている。図９では、キャピラリー通路（71）は、四路切換弁（33,43,53,63）の第４ポート（33d,43d,53d,63d）と低圧ガス配管（L0）から分岐する低圧分岐管（L3,L4,L5,L6）とを連通している。なお、キャピラリー通路（71）の他端は、低圧ガス配管（L0）の主管（L1）に接続されていてもよい。
【０１４５】
〈制御系統〉
本実施形態においても、コントローラ（70）は、インバータ圧縮機（2A）の起動、停止及び容量制御（インバータ周波数の制御）や、第１ノンインバータ圧縮機（2B）及び第２ノンインバータ圧縮機（2C）の起動及び停止を行う。また、上記コントローラ（70）は、四路切換弁（3A,3B,33,43,53,63）の切換、膨張弁（11c,11d,32,42,52,62）の開度調節、及び電磁弁（13,12）の開閉制御も行う。
【０１４６】
なお、本実施形態では、コントローラ（70）は、連通手段（80）の制御は行わない。
【０１４７】
−運転動作−
本実施形態では、冷凍装置（1）は、実施形態１と同様に、（i）全冷房運転、（ii）第１冷暖運転、（iii）第２冷暖運転、（iv）第３冷暖運転、（v）第４冷暖運転、（vi）全暖房運転、の６種類の運転モードを設定することができるように構成されている。運転動作については実施形態１とほぼ同様であり、液排出動作についてのみ異なるため、以下、液排出動作についてのみ説明し、その他の動作については説明を省略する。
【０１４８】
〈液排出動作〉
上記実施形態１では、四路切換弁（33,43,53,63）の第４ポート（33d,43d,53d,63d）が閉鎖されていたため、高圧分岐管（H3,H4,H5,H6）及び四路切換弁（33,43,53,63）内に液冷媒が溜まり込んでしまうことがあった。そのため、実施形態１では、高圧分岐管（H3,H4,H5,H6）と低圧ガス配管（L0）とを連通する連通管（81）及び減圧弁（82）を設け、減圧弁（82）を開くことにより四路切換弁（33,43,53,63）内に溜まり込んだ液冷媒を排出することとしていた。
【０１４９】
しかしながら、本冷凍装置（1）では、四路切換弁（33,43,53,63）の第４ポート（33d,43d,53d,63d）に低圧ガス配管（L0）に接続されたキャピラリー通路（71）が接続されている。そのため、四路切換弁（33,43,53,63）が第１の状態となると、高圧分岐管（H3,H4,H5,H6）内の冷媒が少しずつ低圧ガス配管（L0）に流出するため、高圧分岐管（H3,H4,H5,H6）及び四路切換弁（33,43,53,63）内で冷媒が凝縮し難くなる。また凝縮して液冷媒となっても、該液冷媒は、キャピラリー通路（71）を介して低圧ガス配管（L0）に排出されることとなる。
【０１５０】
−実施形態２の効果−
本冷凍装置（1）によれば、高圧分岐管（H3,H4,H5,H6）と室内熱交換器（31,41,51,61）との連通が遮断されると、高圧分岐管（H3,H4,H5,H6）はキャピラリー通路（71）と連通する。これにより、高圧分岐管（H3,H4,H5,H6）内の冷媒はキャピラリー通路（71）を介して低圧ガス配管（L0）へ少しずつ導かれるため、四路切換弁（33,43,53,63）内で冷媒が滞留するために該冷媒が凝縮して液冷媒となることを抑制することができる。また、四路切換弁（33,43,53,63）内で冷媒が凝縮して液冷媒となっても、キャピラリー通路（71）を介して低圧ガス配管（L0）側へ排出することができる。そのため、四路切換弁（33,43,53,63）内への液冷媒の溜まり込みを防止することができ、四路切換弁（33,43,53,63）の切り換えを円滑に行うことができる。
【０１５１】
また、本冷凍装置（1）によれば、四路切換弁（33,43,53,63）の第４ポート（33d,43d,53d,63d）と低圧ガス配管（L0）とにキャピラリー通路（71）を接続するだけで、本発明に係る連通手段（80）を容易に構成することができる。
【０１５２】
さらに、本冷凍装置（1）によれば、キャピラリー通路（71）を用いることで、高圧の冷媒が無駄に低圧ガス配管（L0）に流れ込むことを抑制しつつ、四路切換弁（33,43,53,63）内で凝縮した液冷媒を好適に排出することができる。
【０１５３】
《発明の実施形態３》
実施形態３は、実施形態１における複数の室内機を室内ユニット（1C,1D）と冷凍ユニット（1B,1E）とにより構成したものである。以下、実施形態３について説明する。
【０１５４】
−全体構成−
室内ユニット（1C,1D）は、室内の冷房及び暖房を行うことができるように構成され、冷凍ユニット（1B,1E）は、例えばショーケース等の庫内の冷凍及びデフロストを行うことができるように構成されている。なお、具体的な構成については実施形態１と同様であるため説明を省略する。
【０１５５】
−運転動作−
本実施形態では、冷凍装置（1）は、（i）全冷却運転、（ii）第１冷暖デフロスト運転、（iii）第２冷暖デフロスト運転、（iv）第３冷暖デフロスト運転、（v）第４冷暖デフロスト運転、（vi）全加熱運転、の６種類の運転モードを設定することができるように構成されている。
【０１５６】
〈全冷却運転〉
全冷却運転は、例えば、室内ユニット（1C,1D）において冷房を行い、冷凍ユニット（1B,1E）において冷却を行う運転であり、全ての室内機（1B,1C,1D,1E）において冷却（冷房、冷凍）を行う運転である。なお、全冷却運転は、実施形態１の全冷房運転（図２参照）における冷凍サイクルと同様の動作を行う。
【０１５７】
〈第１冷暖デフロスト運転〉
第１冷暖デフロスト運転は、例えば、冷凍ユニット（1B）においてデフロストを行い、室内ユニット（1C,1D）において冷房を行い、冷凍ユニット（1E）において冷却を行う運転であり、複数の室内機（1B,1C,1D,1E）のうち、加熱（暖房、デフロスト）を行うもの（1B）よりも冷却（冷房、冷凍）を行うもの（1C,1D,1E）の方が多い場合の運転である。なお、第１冷暖デフロスト運転は、実施形態１の第１冷暖運転（図３参照）における冷凍サイクルと同様の動作を行う。
【０１５８】
〈第２冷暖デフロスト運転〉
第２冷暖デフロスト運転は、室外熱交換器（4）を用いずに、冷凍ユニット（1B）においてデフロストを行い、室内ユニット（1C）において暖房を行い、冷凍ユニット（1D,1E）において冷却を行う熱回収運転である。なお、第２冷暖デフロスト運転は、実施形態１の第２冷暖運転（図４参照）における冷凍サイクルと同様の動作を行う。
【０１５９】
〈第３冷暖デフロスト運転〉
第３冷暖デフロスト運転は、例えば、冷凍ユニット（1B）においてデフロストを行い、室内ユニット（1C,1D）において暖房を行い、冷凍ユニット（1E）において冷却を行うものであり、複数の室内機（1B,1C,1D,1E）のうち、加熱（暖房、デフロスト）を行うもの（1B,1C,1D）よりも冷却（冷房、冷凍）を行うもの（1E）の方が少なく、また外気温度センサ（89）が検出する外気温が高い場合の運転である。なお、第３冷暖デフロスト運転は、実施形態１の第３冷暖運転（図５参照）における冷凍サイクルと同様の動作を行う。
【０１６０】
〈第４冷暖デフロスト運転〉
第４冷暖デフロスト運転は、例えば、冷凍ユニット（1B）においてデフロストを行い、室内ユニット（1C,1D）において暖房を行い、冷凍ユニット（1E）において冷却を行うものであり、複数の室内機（1B,1C,1D,1E）のうち、加熱（暖房、デフロスト）を行うもの（1B,1C,1D）よりも冷却（冷房、冷凍）を行うもの（1E）の方が少なく、また外気温度センサ（89）が検出する外気温が低い場合の運転である。なお、第４冷暖デフロスト運転は、実施形態１の第４冷暖運転（図６参照）における冷凍サイクルと同様の動作を行う。
【０１６１】
〈全加熱運転〉
全加熱運転は、例えば、冷凍ユニット（1B,1E）においてデフロストを行い、室内ユニット（1C,1D）において暖房を行う運転であり、全ての室内機（1B,1C,1D,1E）において加熱（暖房、デフロスト）を行う場合の運転である。なお、全加熱運転は、実施形態１の全暖房運転（図７参照）における冷凍サイクルと同様の動作を行う。
【０１６２】
〈冷凍サイクルの制御〉
なお、実施形態３では、冷媒回路（1G）の高圧冷媒圧力の異常時に、以下のような冷凍サイクルの制御を行う。
【０１６３】
《異常上昇時》
例えば、第３冷暖デフロスト運転（図５参照）のように、デフロストを行う室内機（1B）と冷却（冷房、冷凍）を行う室内機（1E）とが混在し、さらに室外熱交換器（4）が蒸発器として作動し、さらに高圧冷媒圧力が異常上昇した際、コントローラ（70）は以下のような制御を行う。
【０１６４】
図１０（ａ）に示すように、まず、コントローラ（70）は、ステップＳ１において、少なくとも１つの室内機（1E）が冷却運転を行うという第１の条件、少なくとも１つの室内機（1B）がデフロスト運転を行うという第２の条件、室外熱交換器（4）が蒸発器として作動するという第３の条件、高圧圧力センサ（84）によって検出される高圧冷媒圧力が所定の上限値よりも高いという第４の条件のいずれもが満たされているか否かを判別する。
【０１６５】
そして、上記判別結果が「Ｎｏ」の場合、上記判別を継続する。一方、上記判別結果が「Ｙｅｓ」の場合、ステップＳ２に進む。
【０１６６】
コントローラ（70）は、ステップＳ２において、1)〜4)の優先順で制御を行う。1)では、室外ファン（4F）の風量を低減して室外熱交換器（4）での吸熱量を低減する。
【０１６７】
そして、室外ファン（4F）の風量が最低風量となっても高圧冷媒圧力が所定の上限値よりも大きい場合、2)を行う。2)では、第１四路切換弁（3A）を第２の状態から第１の状態に切り換えて、室外熱交換器（4）が蒸発器として作動する状態から凝縮器として作動する状態に切り換える。
【０１６８】
2)を行ってもなお高圧冷媒圧力が所定の上限値よりも大きい場合、3)を行う。3)では、インバータ圧縮機（2A）の容量を低減する。具体的には、インバータ周波数を下げる。
【０１６９】
インバータ圧縮機（2A）のインバータ周波数を下げてもなお高圧冷媒圧力が所定の上限値よりも大きい場合、4)を行う。4)では、インバータ圧縮機（2A）、第１ノンインバータ圧縮機（2B）及び第２ノンインバータ圧縮機（2C）のうちのいずれか又は全部を停止させる。
【０１７０】
《異常低下時》
また、例えば、第１冷暖デフロスト運転のように、デフロストを行う室内機（1B）と冷却（冷房、冷凍）を行う室内機（1C,1D,1E）とが混在し、さらに室外熱交換器（4）が凝縮器として作動し、さらに高圧冷媒圧力が異常低下した際、コントローラ（70）は以下のような制御を行う。
【０１７１】
図１０（ｂ）に示すように、まず、コントローラ（70）は、ステップＳ１において、少なくとも１つの室内機（1C,1D,1E）が冷却運転を行うという第１の条件、少なくとも１つの室内機（1B）がデフロスト運転を行うという第２の条件、室外熱交換器（4）が凝縮器として作動するという第３の条件、高圧圧力センサ（84）によって検出される高圧冷媒圧力が所定の下限値よりも低いという第４の条件のいずれもが満たされているか否かを判別する。
【０１７２】
そして、上記判別結果が「Ｎｏ」の場合、上記判別を継続する。一方、上記判別結果が「Ｙｅｓ」の場合、ステップＳ２に進む。
【０１７３】
コントローラ（70）は、ステップＳ２において、1)〜3)の優先順で制御を行う。1)では、室外ファン（4F）の風量を低減して室外熱交換器（4）での放熱量を低減する。
【０１７４】
そして、室外ファン（4F）の風量が最低風量となっても高圧冷媒圧力が所定の下限値よりも小さい場合、2)を行う。2)では、第１四路切換弁（3A）を第１の状態から第２の状態に切り換えて、室外熱交換器（4）が凝縮器として作動する状態から蒸発器として作動する状態に切り換える。
【０１７５】
1)を行ってもなお高圧冷媒圧力が所定の下限値よりも小さい場合、3)を行う。3)では、インバータ圧縮機（2A）の容量を増大する。具体的には、インバータ周波数を上げる。
【０１７６】
以上のようにして、コントローラ（70）によって圧縮機構（2）及び室外熱交換器（4）の動作を制御することにより、冷媒回路（1G）の高圧冷媒圧力が異常上昇又は異常低下を抑制して冷凍サイクルの安定化を図ることができる。
【０１７７】
−実施形態３の効果−
本冷凍装置（1）によっても、実施形態１に係る冷凍装置（1）と同様の効果を奏することができる。
【０１７８】
また、本冷凍装置（1）では、所定の条件が整い、冷媒回路（1G）の高圧冷媒圧力が異常上昇又は異常低下した際に、上述したように室外熱交換器（4）又は圧縮機構（2）を制御することにより、高圧冷媒圧力の異常上昇又は異常低下を抑制することができる。その結果、冷凍サイクルの安定化を図ることができる。
【０１７９】
実施形態３と同様に、実施形態２における複数の室内機を室内ユニット（1C,1D）と冷凍ユニット（1B,1E）とにより構成したものであっても、同様の効果を奏することは勿論である。
【０１８０】
なお、以上の実施形態は、本質的に好ましい例示であって、本発明、その適用物、あるいはその用途の範囲を制限することを意図するものではない。
【産業上の利用可能性】
【０１８１】
以上説明したように、本発明は、冷凍装置について、特に、複数の利用側熱交換器を有する冷凍装置について有用である。
【図面の簡単な説明】
【０１８２】
【図１】本発明の実施形態１に係る冷凍装置の冷媒回路図である。
【図２】実施形態１における全冷却運転の動作を示す冷媒回路図である。
【図３】実施形態１における第１冷暖運転の動作を示す冷媒回路図である。
【図４】実施形態１における第２冷暖運転の動作を示す冷媒回路図である。
【図５】実施形態１における第３冷暖運転の動作を示す冷媒回路図である。
【図６】実施形態１における第４冷暖運転の動作を示す冷媒回路図である。
【図７】実施形態１における全暖房運転の動作を示す冷媒回路図である。
【図８】（ａ）、（ｂ）は、実施形態１における液排出動作時の制御を示すフローチャートである。
【図９】本発明の実施形態２に係る冷凍装置の冷媒回路図である。
【図１０】（ａ）、（ｂ）は、本発明の実施形態３に係る冷凍装置の高圧冷媒圧力の異常時における冷凍サイクルの制御を示すフローチャートである。
【符号の説明】
【０１８３】
１                        冷凍装置
１Ｇ                      冷媒回路
２                        圧縮機構
３Ａ                      第１四路切換弁（切換手段）
４                        室外熱交換器（熱源側熱交換器）
１０                      液配管
１１ｃ、１１ｄ            膨張弁（膨張機構）
３１、４１、５１、６１    室内熱交換器
３２、４２、５２、６２    膨張弁（膨張機構）
３３、４３、５３、６３    四路切換弁
７０                      コントローラ（制御手段）
７１                      キャピラリー通路
８０                      連通手段
８１                      連通管（連通路）
８２                      減圧弁
８３                      温度センサ
８４                      高圧圧力センサ
９０                      液検知手段 
９１                      開度増大手段 
９２                      排出検知手段 
９２ａ                    開度検出部 
９３                      閉制御手段
Ｈ０                      高圧ガス配管
Ｈ１                      主管 
Ｈ３、Ｈ４、Ｈ５、Ｈ６    高圧分岐管 
Ｌ０                      低圧ガス配管
Ｌ１                      主管
Ｌ３、Ｌ４、Ｌ５、Ｌ６    低圧分岐管
【図１】
2009264612.tif 000003
【図２】
2009264612.tif 000004
【図３】
2009264612.tif 000005
【図４】
2009264612.tif 000006
【図５】
2009264612.tif 000007
【図６】
2009264612.tif 000008
【図７】
2009264612.tif 000009
【図８】
2009264612.tif 000010
【図９】
2009264612.tif 000011
【図１０】
2009264612.tif 000012